(57)【要約】本発明はゴルファーの拇指隆起に合わせるためのマークを手袋、ゴルフクラブのグリップ、あるいはそれらの双方に有するゴルフ手袋とゴルフクラブのグリップとのシステムに関するものである。ゴルファーの拇指隆起が前記マークと合わされることによってゴルフクラブのグリップに手を正しく位置決めさせるように手助けする。更に、前記マークはゴルファーの手のサイズによって決まる対応する手袋あるいはゴルフクラブのグリップのサイズと適合する特定のゴルフクラブのグリップサイズあるいは手袋サイズを指示しうる。
2009534089.tif 000002
【特許請求の範囲】
【請求項１】
第一の印を有するゴルフクラブのグリップと、
手袋の親指部分に第一のマークを有するゴルフ手袋とを含み、
使用時前記第一の印と第一のマークとが相互に合わされてゴルフクラブのグリップ上での正しいトップハンドの親指の位置を示すことを特徴とする、正しい手の位置決めを手助けするゴルフ手袋とゴルフクラブのグリップとのシステム。
【請求項２】
前記第一の印が前記グリップにおける親指の点であることを特徴とする請求項１に記載のシステム。
【請求項３】
前記の親指の点が、長さが約２０ミリメートルから約５０ミリメートルの間で、幅が約１０ミリメートルから約４０ミリメートルの間である楕円形であることを特徴とする請求項１または請求項２に記載のシステム。
【請求項４】
前記親指の点の最下限が前記グリップの頂端から１００ミリメートルから１７５ミリメートルの間にあることを特徴とする請求項２または請求項３に記載のシステム。
【請求項５】
前記親指の点の下点の位置が（クラブのシャフトに装着したとき、グリップのトップキャップから２５．４ミリメートル（１ｉｎｃｈ）のところで測定した直径である）グリップの直径であり、以下のセットから選択されたグリップの直径に関連しており、
【表１】
2009534089.tif 000005
または、
【表２】
2009534089.tif 000006
あるいは、以下のセットから選択された適合手袋の呼称サイズに関連している、
【表３】
2009534089.tif 000007
ことを特徴とする請求項２から４までのいずれか１項に記載のシステム。
【請求項６】
前記第一のマークが前記手袋の拇指隆起の領域を画成することを特徴とする請求項１から４までのいずれか１項に記載のシステム。
【請求項７】
第二のマークが前記手袋に設けられ、第二の印が前記ゴルフクラブのグリップに設けられ、前記第二のマークと第二の印とは、使用時前記第二のマークが前記グリップの第二の印に合わせるための基準点を提供するように構成されており、前記第二のマークが前記手袋の親指とは関連していないことを特徴とする請求項１から６までのいずれか１項に記載のシステム。
【請求項８】
前記手袋の第二のマークが該手袋の手のひら側で指のつけ根を横切って延在する細い線と広幅の帯の中の少なくとも一方を含むことを特徴とする請求項７に記載のシステム。
【請求項９】
前記手袋の第二のマークが、
使用時使用者が正しいグリップを備えたクラブを持つと、該グリップの第二の印と適合するように位置された細い線と、
前記クラブから前記手袋を実質的に離すことなくチェックすることができる、手のひらを横切ってゴルフクラブのグリップを通すための基準ガイドを提供するように構成されている広幅の帯と、の少なくとも一方を含むことを特徴とする請求項７または８に記載のシステム。
【請求項１０】
前記第二のマークが細い線と幅広の帯の双方を含み、前記の細い線が前記帯に対して中心がずれていることを特徴とする請求項８または９に記載のシステム。
【請求項１１】
前記の細い線および（または）帯は平たくしたゴルフ手袋の指の軸線に対して直交して延在する仮想線から約２０度から４０度の間の角度がついていることを特徴とする請求項８から１０までのいずれか１項に記載のシステム。
【請求項１２】
前記の細い線および（または）帯は平たくしたゴルフ手袋の指の軸線に対して直交する仮想線から約３２度の角度がついていることを特徴とする請求項８から１１までのいずれか１項に記載のシステム。
【請求項１３】
前記の細い線および（または）帯は平たくされたゴルフ手袋の指の軸線に対して直交する仮想線から約３９度の角度がついていることを特徴とする請求項８から１１までのいずれか１項に記載のシステム。
【請求項１４】
前記の細い線が前記親指に最も近い最外縁部から少なくとも前記小指の中心線まで前記手袋の手のひらの面を横切って延在することを特徴とする請求項８から１１までのいずれか１項に記載のシステム。
【請求項１５】
前記の細い線が前記人差し指の下部分から前記小指のつけ根近傍まで、あるいはその下方まで延在することを特徴とする請求項１４に記載のシステム。
【請求項１６】
前記手袋の第二のマークが、
使用者が正しいグリップを備えたクラブを持つと、使用時前記グリップの第二の印に対して適合するように位置された一群のマークと、
前記クラブから前記手袋を実質的に離すことなくチェックすることができる、使用時手のひらを横切ってクラブのグリップを通すための基準ガイドを提供するように構成された幅広の帯と、の中の少なくとも一方を含むことを特徴とする請求項７または８に記載のシステム。
【請求項１７】
前記の第二のマークが前記の一群のマークと幅広の帯の双方を含み、前記の細い線が前記帯に対して中心がずれていることを特徴とする請求項１６に記載のシステム。
【請求項１８】
前記の一群のマークおよび（または）帯の全体の配置は前記平たくしたゴルフ手袋の指の軸線に対して直交する仮想線から約２０度から約４５度までの間の角度がつけられていることを特徴とする請求項１６または１７に記載のシステム。
【請求項１９】
前記一群のマークの中の前記手袋の親指に最も近接したマークが、前記人差し指の下部分を横切って位置し前記手袋の手のひら側にあり、前記平たくされたゴルフ手袋の指の軸線に対して直交する仮想線から約２９度の角度がついている線部分を含むことを特徴とする請求項１６から１８までのいずれか１項に記載のシステム。
【請求項２０】
前記一群のマークの中の前記手袋の小指に最も近接したマークが、その小指の下部分を横切ってあるいはその小指のすぐ下方の手のひらの部分を横切って位置し、かつ前記平たくされたゴルフ手袋の指の軸線に対して直交する仮想線から約３９度の角度がつけられている線部分を含むことを特徴とする請求項１６から１９までのいずれか１項に記載のシステム。
【請求項２１】
前記一群のマークが、少なくとも親指に最も近接した外縁部から少なくとも前記小指の中心線までを含む前記手袋の手のひら側における線マークを含むことを特徴とする請求項１６ら２０までのいずれか１項に記載のシステム。
【請求項２２】
前記グリップにおける前記の第二の印が前記手袋の手のひらを少なくとも跨ぐに十分な距離だけ延在する線マークを含むことを特徴とする請求７から２１までのいずれか１項に記載のシステム。
【請求項２３】
前記の線マークが前記グリップの軸線に対して概ね平行に延在することを特徴とする請求項２２に記載のシステム。
【請求項２４】
前記の線マークが前記グリップの前記第一の印からその上端近傍まで延在していることを特徴とする請求項２２または請求項２３に記載のシステム。
【請求項２５】
前記グリップの前記第一の印の近傍の高さにおいて前記線マークが前記第一のマークの中心からずれていることを特徴とする請求２２から２４までのいずれか１項に記載のシステム。
【請求項２６】
前記線マークが前記グリップの軸線に対して概ね平行の方向に延在し、前記線マークは前記第一の印から前記グリップの上端近傍まで延在し、前記グリップの前記第一のマークの近傍の高さにおいて、前記線マークは前記第一のマークの中心からずれていることを特徴とする請求項２２に記載のシステム。
【請求項２７】
前記第一のマークが前記グリップにおける親指の跡を画成する領域を含み、前記線マークが前記親指の跡の一方の側から延在することを特徴とする請求項２５に記載のシステム。
【請求項２８】
前記マークが前記手袋の手のひら側にあり、そのため使用時ゴルフクラブのグリップの印に対して面接触を形成することを特徴とする請求１から２７までのいずれか１項に記載のシステム。
【請求項２９】
ゴルフクラブの上での手の正しい位置決めを手助けするために第一の印を有するゴルフクラブのグリップと使用するゴルフ手袋において、
前記手袋の親指における第一のマークを含み、
使用時、前記第一の印と前記第一のマークとが相互に合わされて、前記ゴルフクラブのグリップ上でのトップハンドの親指の正しい位置を示すことを特徴とするゴルフ手袋。
【請求項３０】
前記手袋の親指にある前記第一のマークが前記親指の末端の指骨に位置された手袋着装者の拇指隆起と重なることを特徴とする請求項２９に記載のゴルフ手袋。
【請求項３１】
前記手袋の親指にあるマークが該手袋の拇指隆起を概ね網羅し、前記グリップにある印が前記手袋の拇指隆起に適合する外形を有していることを特徴とする請求項２９または３０に記載のゴルフ手袋。
【請求項３２】
前記マークおよび印の中の少なくとも一方が接触用マークあるいは印であり、そのため使用時、使用者がゴルフクラブを正しく握ると、前記手袋のマークが前記グリップの対応する印と概ね接触することを特徴とする請求項２９から３１までのいずれか１項に記載のゴルフ手袋。
【請求項３３】
第二のマークが前記手袋に設けられ、第二の印が前記ゴルフクラブのグリップに設けられ、前記第二のマークと前記第二の印とは使用時、前記第二のマークが前記グリップの第二の印と合わせるための基準点を提供し、前記第二のマークが前記手袋の前記親指とは関連していないことを特徴とする請求項２９から３２までのいずれか１項に記載のゴルフ手袋。
【請求項３４】
前記手袋の第二のマークが前記手袋の手のひら側で指のつけ根を横切って延在する細い線と広幅の帯の少なくとも一方を含むことを特徴とする請求項３３に記載のゴルフ手袋。
【請求項３５】
前記手袋の第二のマークが、
使用者が正しいグリップを備えたゴルフクラブを持つと、使用時前記グリップの第二の印と適合するように位置した細い線と、
前記ゴルフクラブから前記手袋を実質的に離すことなくチェックできる、手のひらを横切って前記ゴルフクラブのグリップを通すための基準ガイドを提供するように構成された広幅の帯と、の中の少なくとも一方を含むことを特徴とする請求項３３または３４に記載のゴルフ手袋。
【請求項３６】
前記第二のマークが細い線と広幅の帯の双方を含み、前記の細い線が前記帯に対して中心がずれていることを特徴とする請求項３４または３５に記載のゴルフ手袋。
【請求項３７】
前記の細い線および（または）帯は前記平たくされたゴルフ手袋の指の軸線に対して直交延在する仮想線から約２０度から約４０度の間の角度がつけられていることを特徴とする請求項３３から３５までのいずれか１項に記載のゴルフ手袋。
【請求項３８】
前記の細い線および（または）帯は前記平たくされたゴルフ手袋の指の軸線に対して直交する仮想線から約３２度の角度がつけられていることを特徴とする請求項３４から３７までのいずれか１項に記載のゴルフ手袋。
【請求項３９】
前記の細い線および（または）帯は前記平たくされたゴルフ手袋の指の軸線に対して直交する仮想線から約３９度の角度がつけられていることを特徴とする請求項３４から３８までのいずれか１項に記載のゴルフ手袋。
【請求項４０】
前記の細い線が親指に最も近い最外縁部から小指の少なくとも中心線まで前記手袋の手のひらの面を横切って延在していることを特徴とする請求項３４から３９までのいずれか１項に記載のゴルフ手袋。
【請求項４１】
前記の細い線が人差し指の下部分から小指のつけ根の近傍あるいはその下方まで延在していることを特徴とする請求項４０に記載のゴルフ手袋。
【請求項４２】
前記手袋の第二のマークが、
使用者が正しいグリップを備えたクラブを持つと、使用時前記グリップの第二の印に適合するように位置した一群のマークと、
実質的にゴルフクラブから手袋を離すことなしにチェックすることができる、手のひらを横切ってクラブのグリップを通すための基準ガイドを提供するように構成された広幅の帯と、の少なくとも一方を含むことを特徴とする請求項３３または３４に記載のゴルフ手袋。
【請求項４３】
前記第二のマークが前記一群のマークと広幅の帯の双方を含み、前記の細い線が前記帯に対して中心がずれていることを特徴とする請求項４２に記載のゴルフ手袋。
【請求項４４】
前記一群のマークおよび（または）帯の全体配置は平たくされたゴルフ手袋の指の軸線に対して直交して延在する仮想線から約２０度から約４５度までの間の角度がつけられていることを特徴とする請求項４２または請求項４３に記載のゴルフ手袋。
【請求項４５】
前記の一群のマークの中の前記の手袋の親指に最も近いマークは、人差し指の下部分を横切って位置し、かつ平たくされたゴルフ手袋の指の軸線に対して直交する仮想線から約２９度の角度がつけられている前記手袋の手のひら側にある線部分を含むことを特徴とする請求項４２から４４までのいずれか１項に記載のゴルフ手袋。
【請求項４６】
前記一群のマークの中の前記手袋の小指に最も近いマークは、小指の下部分を横切って、あるいは前記小指のすぐ下方の手のひらの部分を横切って位置し、平たくされたゴルフクラブの指の軸線に対して直交する仮想線から約３９度の角度がつけられている前記手袋の手のひら側にある線部分を含むことを特徴とする請求項４２から４５までのいずれか１項に記載のゴルフ手袋。
【請求項４７】
前記一群のマークが、少なくとも親指に最も近い最外縁部から少なくとも小指の中心線までを含む前記手袋の手のひらの面にある線マークを含むことを特徴とする請求項４２から４６までのいずれか１項に記載のゴルフ手袋。
【請求項４８】
前記マークが前記手袋の手のひら側にあって、使用時前記ゴルフクラブのグリップの印との面接触を形成することを特徴とする請求項２９から４７までのいずれか１項に記載のゴルフ手袋。
【請求項４９】
使用者のトップハンドの幅を少なくとも跨ぐに十分な距離だけグリップに沿って軸線方向に延在する基準線を有するゴルフクラブのグリップと使用するゴルフ手袋において、使用時前記グリップの線と合わされるための基準点を提供するように構成された手袋の手のひら側におけるマーク（あるいは複数のマーク）であって、前記手袋の親指とは関連していないマークを含むことを特徴とするゴルフ手袋。
【請求項５０】
前記手袋のマークが、該手袋の手のひら側において指のつけ根を横切って延在する細い線と広幅の帯の少なくとも一方を含むことを特徴とする請求項４９に記載のゴルフ手袋。
【請求項５１】
前記手袋のマークが、
使用者が正しいグリップを備えたクラブを持つとき、使用時前記グリップの線と適合するように位置している細い線と、
前記ゴルフクラブから前記手袋を実質的に離すことなくチェックすることができる、手のひらを横切って前記クラブのグリップを通すための基準ガイドを提供するように構成されている広幅の帯と、の中の少なくとも一方を含むことを特徴とする請求項４９または５０に記載のゴルフ手袋。
【請求項５２】
前記のマークが細い線と広幅の帯の双方を含み、前記の細い線が前記帯に対して中心がずれていることを特徴とする請求項５０または５１に記載のゴルフ手袋。
【請求項５３】
前記の細い線および（または）帯は前記平たくされたゴルフ手袋の指の軸線に対して直交延在する仮想線から約２０度から４０度の間の角度がつけられていることを特徴とする請求項５０から５２までのいずれか１項に記載のゴルフ手袋。
【請求項５４】
前記の細い線および（または）帯は前記平たくされたゴルフ手袋の指の軸線に対して直交する仮想線から約３２度の角度がつけられていることを特徴とする請求項５０から５３までのいずれか１項に記載のゴルフ手袋。
【請求項５５】
前記の細い線および（または）帯は前記平たくされたゴルフ手袋の指の軸線に対して直交する仮想線から約３９度の角度がつけられていることを特徴とする請求項５０から５３までのいずれか１項に記載のゴルフ手袋。
【請求項５６】
前記の細い線が親指に最も近い最外縁部から小指の少なくとも中心線まで前記手袋の手のひらの面を横切って延在することを特徴とする請求項５０から５５までのいずれか１項に記載のゴルフ手袋。
【請求項５７】
前記の細い線が人差し指の下部分から小指のつけ根の近傍あるいは下方まで延在していることを特徴とする請求項５６に記載のゴルフ手袋。
【請求項５８】
前記手袋のマークが、
使用者が正しいグリップを備えたクラブを持つと、使用時前記グリップの線マークに対して適合するように位置した一群のマークと、
前記手袋を前記クラブから実質的に離すことなくチェックすることができる、手のひらを横切って前記ゴルフクラブのグリップを通すための基準ガイドを使用時提供するように構成された広幅の帯と、の中の少なくとも一方含むことを特徴とする請求項５０または５１に記載のゴルフ手袋。
【請求項５９】
前記マークが前記の一群のマークと広幅の帯の双方を含み、前記細い線が前記帯に対して中心がずれていることを特徴とする請求項５８に記載のゴルフ手袋。
【請求項６０】
前記一群のマークおよび（または）帯の全体配置は前記平たくされたゴルフ手袋の指の軸線に対して直交延在している仮想線から約２０度から約４５度までの間の角度がつけられていることを特徴とする請求項５８または請求項５９に記載のゴルフ手袋。
【請求項６１】
前記一群のマークの中の前記手袋の親指に最も近いマークは、人差し指の下部分を横切って位置し、前記平たくされたゴルフ手袋の指の軸線に対して直交する仮想線から約２９度の角度がついている前記手袋の手のひら側にある線部分を含むことを特徴とする請求項５８から６０までのいずれか１項に記載のゴルフ手袋。
【請求項６２】
前記一群のマークの中の前記手袋の小指に最も近いマークは、小指の下部分を横切って、あるいは前記小指の直ぐ下方の手のひらの部分を横切って位置し、前記平たくされたゴルフ手袋の指の軸線に対して直交する仮想線から約３９度の角度がついている前記手袋の手のひら側にある線部分を含むことを特徴とする請求項５８から６１までのいずれか１項に記載のゴルフ手袋。
【請求項６３】
前記一群のマークが前記手袋の手のひらにある線マークを含み、該線マークは親指に少なくとも最も近い最外縁部から少なくとも小指の中心線までを含むことを特徴とする請求項５８から６２までのいずれか１項に記載のゴルフ手袋。
【請求項６４】
前記マークが、使用時前記ゴルフクラブのグリップの印との面接触を形成するように前記手袋の手のひら側にあることを特徴とする請求項４９から６３までのいずれか１項に記載のゴルフ手袋。
【請求項６５】
前記手袋の親指にマークを有するゴルフ手袋と使用するゴルフクラブのグリップであって、前記手袋のマークに対応する印を有するグリップにおいて、
使用時前記手袋とグリップとが一緒になって使用者がトップハンドの親指を前記グリップに位置させ、かつ合わせるように手助けすることを特徴とするゴルフクラブのグリップ。
【請求項６６】
前記の第一の印が前記グリップの親指の点であることを特徴とする請求項６４に記載のゴルフクラブのグリップ。
【請求項６７】
前記親指の点が、長さが約２０ミリメートルから約５０ミリメートルの間であり、幅が約１０ミリメートルから約４０ミリメートルの間である楕円形であることを特徴とする請求項６６に記載のゴルフクラブのグリップ。
【請求項６８】
前記親指の点の最下方部は前記グリップの上端から１００ミリメートルから１７５ミリメートルの間にあることを特徴とする請求項６６または６７に記載のゴルフクラブのグリップ。
【請求項６９】
前記親指の点の下点の位置が、以下のセット、
【表４】
2009534089.tif 000008
あるいは以下のセット、
【表５】
2009534089.tif 000009
から選択されたグリップの直径（クラブのシャフトに装着されたときのトップキャップから１インチのところで測定した直径）に関連するか、
あるいは、以下のセット、
【表６】
2009534089.tif 000010
から選択された適合手袋の呼称サイズに関連していることを特徴とする請求項６６から６８までのいずれか１項に記載のゴルフクラブのグリップ。
【請求項７０】
第二の印が前記ゴルフクラブのグリップに設けられており、前記第二の印は使用時使用者の指のつけ根を横切って合わされる線を含むことを特徴とする請求項６５から６９までのいずれか１項に記載のゴルフクラブのグリップ。
【請求項７１】
前記グリップの第二の印が前記手袋の手のひらを跨ぐのに少なくとも十分な距離だけ延在する線マークを含むことを特徴とする請求項７０に記載のゴルフクラブのグリップ。
【請求項７２】
前記線マークが前記グリップの軸線に対して概ね平行な方向に延在することを特徴とする請求項７１に記載のゴルフクラブのグリップ。
【請求項７３】
前記線マークが前記の第一の印から前記グリップの上端近傍まで延在することを特徴とする請求項７１または７２に記載のシステム。
【請求項７４】
前記グリップの前記第一のマーク近傍の高さにおいて、前記線マークは前記第一のマークの中心からずれていることを特徴とする請求項７１から７３までのいずれか１項に記載のシステム。
【請求項７５】
前記線マークは前記グリップの軸線に対して概ね平行な方向に延在しており、前記線マークは前記第一の印から前記グリップの上端近傍まで延在しており、前記グリップの前記第一のマーク近傍の高さにおいて、前記線マークが前記第一のマークの中心からずれていることを特徴とする請求項７１に記載のシステム。
【請求項７６】
前記第一のマークが親指の跡を画成する前記グリップ上の領域を含み、前記線マークが前記親指の跡の一方の側から延在することを特徴とする請求項７５に記載のシステム。
【請求項７７】
第三の印が前記グリップに設けられており、前記第三の印は使用時ゴルファーの下側の手の親指との人差し指との間で形成されるかぎ形と合うように形成されていることを特徴とする請求項６５から７６までのいずれか１項に記載のゴルフクラブのグリップ。
【請求項７８】
使用時ゴルファーの手の拇指隆起と合わされる第一の印をゴルフクラブのグリップにおいて含み、前記印は使用時ゴルファーの親指の末端の指骨の厚肉部（ｐａｄ）と合わされる親指の点を含むことを特徴とするゴルフクラブのグリップ。
【請求項７９】
前記親指の点は長さが約２０ミリメートルから約５０ミリメートルの間であり、幅が約１０ミリメートルから約４０ミリメートルの間である楕円形であることを特徴とする請求項７８に記載のゴルフクラブのグリップ。
【請求項８０】
前記親指の点の最下部が前記グリップの上端から１００ミリメートルから１７５ミリメートルの間にあることを特徴とする請求項７８または７９に記載のゴルフクラブのグリップ。
【請求項８１】
前記親指の点の下点の位置が、以下のセットから
【表７】
2009534089.tif 000011
あるいは、以下のセットから、
【表８】
2009534089.tif 000012
選択された（グリップがクラブのシャフトに装着された場合そのトップキャップから２５．４ミリメートル（１ｉｎｃｈ）のところで直径を測定した）グリップの直径に関連することを特徴とする請求項７８から８０までのいずれか１項に記載のゴルフクラブのグリップ。
【請求項８２】
第二の印が前記グリップに設けられており、該第二の印は使用時使用者の指のつけ根を横切って合わされる線を含むことを特徴とする請求項７７から８１までのいずれか１項に記載のゴルフクラブのグリップ。
【請求項８３】
前記グリップの第二の印が前記手袋の手のひらを跨ぐに少なくとも十分な距離を延在している線マークを含むことを特徴とする請求項８２に記載のゴルフクラブのグリップ。
【請求項８４】
前記の線マークが前記グリップの軸線に対して概ね平行の方向に延在することを特徴とする請求項８３に記載のゴルフクラブのグリップ。
【請求項８５】
前記線マークが前記グリップの上端近傍まで前記第一の印から延在することを特徴とする請求項８３または８４に記載のゴルフクラブのグリップ。
【請求項８６】
前記グリップの第一の印の近傍の高さにおいて、前記線マークは前記第一の印の中心からずれていることを特徴とする請求項８３から８５までのいずれか１項に記載のゴルフクラブのグリップ。
【請求項８７】
前記線マークが前記グリップの軸線に対して概ね平行の方向に延在し、前記線マークは前記第一の印から前記グリップの上端近傍まで延在し、前記グリップの第一の印の近傍の高さにおいて、前記線マークは前記第一のマークの中心からずれていることを特徴とする請求項８２に記載のゴルフクラブのグリップ。
【請求項８８】
前記第一のマークが親指の跡を画成する領域を前記グリップにおいて含み、前記線マークは前記親指の跡の一方の側から延在することを特徴とする請求項８７に記載のゴルフクラブのグリップ。
【請求項８９】
第三の印が前記グリップに設けられており、前記第三の印は使用時、ゴルファーの下側の手の親指と人差し指との間に形成されるかぎ形と合わされるような形状とされていることを特徴とする請求項８７から８８までのいずれか１項に記載のゴルフクラブのグリップ。
【請求項９０】
ゴルフクラブのグリップにゴルファーの手を正しく位置させるようゴルファーを手助けする方法において、
親指部分に第一のマークを有する手袋を所定のトップハンドに着装する段階と、
前記手袋の第一のマークと合わされるようにされた第一の印を備えたグリップを有するゴルフクラブを選択する段階と、
前記第一のマークを前記第一の印と合わせ、手を閉じることによってゴルフクラブを握る段階と、を含むことを特徴とするゴルファーを手助けする方法。
【請求項９１】
使用時、前記第一のマークが前記第一の印と接触されることを特徴とする請求項９０に記載の方法。
【請求項９２】
前記手袋が請求項２９から４８までのいずれか１項に記載のものであり、前記グリップが請求項６５から７７までのいずれか１項に記載のものであることを特徴とする請求項９０または請求項９１に記載の方法。
【請求項９３】
前記手袋が請求項４９から６４までのいずれか１項に記載のようなものであり、前記グリップが使用者のトップハンドの幅を跨ぐのに少なくとも十分である距離を前記グリップに沿って軸線方向に延在する基準線を有していることを特徴とする請求項９０または請求項９１に記載の方法。
【請求項９４】
ゴルフクラブのグリップに印を含む諸々の外径を備えたある範囲のゴルフクラブのグリップと、適当なサイズのグリップにある印と適合するマークを備えた対応する範囲の諸々のサイズのゴルフ手袋とを含み、使用時前記印はゴルファーが手のサイズに適合したゴルフクラブのグリップを選択するのを手助けすることを特徴とする適合（フィッティング）システム。
【請求項９５】
前記グリップの直径がゴルファーの手袋のサイズに適合することを特徴とする請求項９４に記載の適合システム。
【請求項９６】
前記印のサイズ、位置あるいはそれらの双方がゴルファーの手袋のサイズに適合することを特徴とする請求項９４または９５に記載のある範囲のゴルフクラブのグリップ。
【請求項９７】
手袋のサイズを表示するマークを含む手袋であって、使用時クラブを握ると、前記マークが、グリップの直径を表示するゴルフクラブのグリップの印と合わされることを特徴とする手袋。
【請求項９８】
前記手袋が所定のサイズを有し、前記マークが、同じ所定のサイズを有するグリップの形状、色および模様の中の少なくとも一つと適合する形状、色、および模様の中の少なくとも一つを含むことを特徴とする請求項９７に記載の手袋。
【請求項９９】
ゴルファーにゴルフクラブを適合（フィット）させる方法において、
手袋のサイズに応じて種々のマークを有するある範囲の手袋からゴルファーに手袋をフィットさせる段階と、
グリップの外径に応じて種々の印を有するある範囲のグリップあるいはそのようなグリップを備えたゴルフクラブからグリップあるいはそのようなグリップを備えたゴルフクラブを選択する段階と、を含み、
前記の選択されたグリップあるいはそのようなグリップを備えたクラブが適合された手袋のマークと適合した印を有していることを特徴とするゴルファーにゴルフクラブを適合させる方法。
【請求項１００】
前記手袋のマークが選択されたグリップの形状、色および模様の中の少なくともいずれか一つと適合する形状、色および模様の中の少なくとも一つを含むことを特徴とする請求項９９に記載の方法。
【請求項１０１】
あるセットのゴルフクラブのグリップとゴルフ手袋からなるパッケージされたセットであって、前記ゴルフ手袋が請求項２９から４８までのいずれか１項に記載のものであり、前記グリップが請求項６５から７７までのいずれか１項に記載のものであり、前記ゴルフクラブのグリップにあるマークが前記ゴルフ手袋のサイズに適合するように位置されていることを特徴とするあるセットのゴルフクラブのグリップとゴルフ手袋からなるパッケージされたセット。
【請求項１０２】
あるセットのゴルフクラブのグリップとゴルフ手袋からなるパッケージされたセットであって、前記手袋が請求項４９から６４までのいずれか１項に記載のものであり、前記グリップの各々が使用者のトップハンドの幅を跨ぐに少なくとも十分な距離を前記グリップに沿って軸線方向に延在する基準線を有しており、前記ゴルフクラブのグリップにあるマークが前記ゴルフ手袋のサイズと適合するように位置されていることを特徴とするあるセットのゴルフクラブのグリップとゴルフ手袋からなるパッケージされたセット。
【発明の詳細な説明】
【技術分野】
【０００１】
本発明はゴルフ手袋、ゴルフクラブのグリップ、および（または）ゴルファーがゴルフクラブのグリップの周りでの正しい手の位置を習得するよう手助けする関連のゴルフ手袋とゴルフクラブのグリップとのシステムに関するものである。
【背景技術】
【０００２】
ゴルフのプレイの基本はゴルフクラブのグリップにおける正しい手の位置を習得することである。ゴルフレッスンのプロは正しい手の位置決めを教えるレッスンを提供する。しかしながら、例えば通常のプレイの間のようにレッスンプロがいない場合には、手の位置決めが悪くなることがよくある。この問題に対処するために、手の正しい位置決めを手助けするためのマークを備えたゴルフ手袋が提案されてきた。例えば、米国特許第６，２７２，６８６号（ＵＳ  Ｐａｔｅｎｔ  ＵＳ６，２７２，６８６）、同第３，８４８，８７４号（ＵＳ３，８４８，８７４）および同第５，７０４，０６５号（ＵＳ５，７０４，０６５）はプレヤーが安心してクラブの効果的な握りをできるように手助けすると言われているマーク（ｍａｒｋｉｎｇｓ）を有するゴルフ手袋を開示している。本発明の発明者の知るところでは、これらの手袋は市販されておらず、世間一般の知識の一部をなしてはいない。
【０００３】
手の位置決めの悪さはゴルフクラブのグリップサイズがゴルファーの手のサイズに適合していないことも原因である。このことはゴルフクラブのコントロールにも悪影響を与える。
【発明の開示】
【発明が解決しようとする課題】
【０００４】
本発明の目的は、ゴルフクラブを正しく握ることを手助けし、あるいは前述した難しさに対処し、あるいは一般大衆に有用な選択を少なくとも提供する、ゴルフ手袋、ゴルフ手袋とゴルフクラブのグリップとのシステム、ゴルフクラブのグリップ、ある範囲のゴルフクラブのグリップ、ゴルファーを手助けする方法、あるいはゴルファーにゴルフクラブを適合させる（フィッティング）方法を提供することである。
【課題を解決するための手段】
【０００５】
本発明は、第一の局面において、ゴルフクラブのグリップ上にゴルファーの手を正しく位置させるようゴルファーを手助けする方法であって、
親指部分に第一のマークを有する手袋を所定のトップハンド（ｔｏｐ  ｈａｎｄ）に着装させる段階と、
前記手袋の第一のマークと合せるようにされた第一の印を備えたグリップを有するゴルフクラブを選択する段階と、
第一のマークを前記第一の印に合わせ、その状態でクラブを握るように手を閉じる段階とからなる、あるいはそれらの段階を含む方法を提供する。
【０００６】
使用時、前記の第一のマークは第一の印と接触することが好ましい。
【０００７】
本発明は、第二の局面において、正しい手の位置決めを手助けするゴルフ手袋とゴルフクラブのグリップとのシステムであって、
第一の印を有するゴルフクラブのグリップと、
手袋の親指部分に第一のマークを有するゴルフ手袋とからなり、あるいはそれらを含み、
使用時、第一の印と第一のマークとが相互に合わされてゴルフクラブのグリップにおける正しいトップハンドの親指の位置を指示する、
ゴルフ手袋とゴルフクラブのグリップとのシステムを提供する。
【０００８】
第三の局面において、本発明は、使用時ゴルファーの手の拇指隆起（ｔｈｕｍｂ  ｐａｄ）と合わせられる第一の印を含むゴルフクラブのグリップを提供する。
【０００９】
第四の局面において、本発明は、ゴルフクラブの上での手の正しい位置決めを手助けするために第一の印を有するゴルフクラブのグリップと使用するゴルフ手袋であって、
該手袋の親指にある第一のマークであって、使用時前記の第一の印と第一のマークとが相互に合わされてゴルフクラブのグリップ上での正しいトップハンドの親指の位置を指示する第一のマークを含むゴルフ手袋を提供する。
【００１０】
別の局面において、本発明は手袋の親指にマークを有するゴルフ手袋と使用するゴルフクラブのグリップであって、該グリップは手袋のマークに対応する印を有しており、
使用時前記手袋とグリップとが共に使用者がトップハンドの親指を前記グリップの上に置き、かつ合わせるのを手助けするゴルフクラブのグリップを提供する。
【００１１】
前記マークと印とは、使用時使用者がゴルフクラブを正しく握ると、手袋のマークがグリップの対応する印と概ね接触するような接触タイプのマークと印であることが望ましい。
【００１２】
第二の印が使用時使用者の指のつけ根と合わされるグリップに設けられた線であることが望ましい。
【００１３】
第三の印がグリップに設けられることが望ましい。第三の印はゴルファーの下側の手の親指と人差し指との間に形成されたかぎ形（ｃｒｏｏｋ）と合わされるような形状とされることが望ましい。
【００１４】
グリップのサイズはゴルファーの手のサイズに適合することが望ましい。グリップのサイズはグリップの径を変えることによってゴルファーの手のサイズに適合される。
【００１５】
手袋の親指にある第一のマークは着装者の親指の末端の指骨（ｐｈａｌａｎｘ）に位置する拇指隆起に重なることが望ましい。第一のマークはグリップにある第一の印と合わせるための基準を提供する。
【００１６】
手袋の親指にあるマークは手袋の拇指隆起を概ね覆い、グリップにある印は手袋の拇指隆起に適合する外形を有することが望ましい。
【００１７】
任意的に第二のマークが手袋に設けられ、第二の印がゴルフクラブのグリップに設けられる。第二のマークはグリップにある第二の印に合わせるための基準点を提供する。
【００１８】
手袋にある第二のマークは手袋の手のひら側の指の付け根を横切って双方共に延在する細い線あるいは広幅の帯（ｃｏｒｒｉｄｏｒ）からなることが望ましい。細い線の方は使用者が正しい握りでクラブを持った場合グリップの第二の印に適合するように位置されている。広幅の帯はクラブから手袋を実質的に離すことなくチェックすることができる手のひらを横切ってゴルフクラブのグリップが通るための基準ガイドを提供する。
【００１９】
前記の細い線は、
手袋が開かれた状態にあるとき、非直線の印を表示し、
手袋が少なくとも部分的に閉じられた状態にあるとき直線の印を表示するように、構成された手袋の手のひら側における指の付け根を横切って延在する少なくとも二本の線断片からなることが望ましい。
【００２０】
前記第二のマークは細い線と広幅の帯の双方を含み、細い線の方は前記帯に対して中心がずれていることが望ましい。
【００２１】
前記の細い線および（または）広幅の帯はゴルフ手袋を横切る水平方向の線に対して望ましくは約２０度から約４０度の間の、より望ましくは約２５度から３５度の間、最も望ましくは３２度の角度がつけられている。
【００２２】
典型的には右利きのゴルファーにはゴルフ手袋はゴルファーの左手に、左利きのゴルファーにはゴルフ手袋はゴルファーの右手に合わされる。左手および右手の双方の手袋をゴルファーに対して提供しうる。
【００２３】
右利きのゴルファーに対しては、手袋やグリップのマークは手をゴルフクラブのグリップの中心より右に位置させるように構成されている。左利きのゴルファーに対しては、手袋やグリップのマークは手をゴルフクラブのグリップの中心より左に位置させるように構成されている。マークは使用者が以下のグリップ、すなわちオーバラップすなわちバードングリップ、インターロッキンググリップ、あるいはベースボールグリップすなわち十本指グリップのいずれかを維持するよう手助けするように構成されている。
【００２４】
マークは手袋の手のひらの側にあるので使用時それらがクラブのグリップにある印と接触合わせされることが望ましい。代替的に、マークは手袋の手のひらでない側に位置させ、そのため使用時ゴルフクラブの対応するグリップの印と目で見て合わさせるようにもできる。
【００２５】
マークと印のサイズや形状はゴルファーの手のサイズに適合することが望ましい。
【００２６】
別の局面において、本発明はゴルフクラブのグリップにゴルファーの手を正しく位置させるようにゴルファーを手助けするゴルフ手袋であって、
手袋が開いた状態にあると非直線の印を表示し、
手袋が少なくとも部分的に閉じられた状態にあるとき直線の印を表示するように構成され、
手袋の手のひらの側において指のつけ根を横切って延在する少なくとも２本の線部分（ｌｉｎｅ  ｓｅｇｍｅｎｔｓ）を含むゴルフ用手袋を提供する。
【００２７】
前記の少なくとも２本の線部分は分離されており、少なくとも２本の不連続の線から構成されることが好ましい。
【００２８】
代替的に、前記の少なくとも２本の線部分の隣接する端は、手袋が開いた状態にあるとき単一の連続した非直線の線を形成するように仲介線（ｂｒｉｄｇｉｎｇ  ｌｉｎｅ）によって接続される。
【００２９】
前記の少なくとも２本の線部分は上側の線部分と下側の線部分を含むことが好ましい。
【００３０】
上側の線部分は手袋の手のひらの親指側から中指の内側と合わされる点まで延在し、前記の上側の線は手袋を横切る水平の線から約２９度の角度がつけられていることが好ましく。
【００３１】
下側の線部分は手袋の手のひらの小指側から薬指の中間と合わされる点まで延在し、前記の下側の線は手袋を横切る水平の線から約３９度の角度がつけられていることが好ましい。
【００３２】
前記の上側の線は下側の線部分よりも約１０度少ない角度がつけられることが望ましい。
【００３３】
代替的に、手袋が開いた状態にあるとき前記の少なくとも２本の線部分は相互に対してずれている。
【００３４】
代替的に、前記の少なくとも２本の線部分は相互に対してずらせ、かつ相互に対して概ね平行としてもよい。
【００３５】
別の局面において、本発明はゴルファーがゴルフクラブのグリップの上に手を正しく位置させるよう手助けするゴルフ手袋であって、手袋の手のひらの側の指のつけ根を横切って延在する基準の印を含み、該印が、
該手袋の手のひらの親指側から手のひらの小指側に向って延在する上側の線部分と、
手のひらの小指側から手のひらの親指側に向って延在する下側の線部分とを含む、
ゴルフ手袋を提供する。
【００３６】
前記手袋が開いた状態にあるとき、上側と下側の線部分は開いた状態にある手袋の手のひらを通して延在する概ね垂直の平面においては合わされないが、手袋が少なくとも部分的に閉じた状態にあるとき、上側と下側の線部分は前記平面に合わされることが望ましい。
【００３７】
前記の上側および下側の線部分あるいはそれらの延長部分は手袋の手のひらの親指側と小指側との間のある一点で合流することが望ましい。
【００３８】
前記の線は一本の線、一連の線、点あるいはマーク、手触り（ｔｅｘｔｕｒｅｄ）、あるいは陰影をつけた、あるいは着色した、あるいはその他の形で性質の異なるようにした領域の縁取り（ｅｄｇｅ）であることが望ましい。
【００３９】
使用時、ゴルファーがクラブのグリップの周りで手を閉じる際、前記の少なくとも２本の線部分が非直線の印の表示から直線の印の表示へと変移することが望ましく、前記の直線の印は手袋がクラブのグリップに正しく位置されるとクラブのグリップにある直線のマークと合わさる。
【００４０】
代替的に、使用時ゴルファーがクラブのグリップの回りで手を閉じると、前記の少なくとも２本の線部分は非直線の印の表示から直線の印の表示へと変移し、前記の直線の印は手袋がクラブのグリップに正しく位置されるとクラブグリップの中心線と合わさる。
【００４１】
別の局面において、本発明は、ゴルフクラブのグリップに印を含み、諸々の外径を備えたある範囲のクラブのグリップと、適当なサイズのグリップの印と適合するマークを備えた対応する範囲の種々サイズのゴルフ手袋とを提供し、使用時前記印はゴルファーが自分の手のサイズに適合したクラブのグリップを選択するのを手助けする。
【００４２】
更に別の局面において、本発明は手袋のサイズを表示するマークを含む手袋を提供し、使用時クラブを握ると、前記マークがクラブのグリップにある印と合わされ、前記印はまたグリップの直径を表示する。
【００４３】
更に別の局面において、本発明はゴルファーにゴルフクラブを適合させる方法であって、
手袋のサイズに応じて種々のマークを有する手袋のある範囲から手袋をゴルファーに適合させる段階と、
ある範囲のグリップあるいはグリップの外径に応じて種々の印を有するグリップを備えたゴルフクラブから、グリップあるいはそのようなグリップを備えたクラブを選択する段階を含み、選択されたグリップあるいはそのようなグリップを備えたゴルフクラブが適合された（単数あるいは複数の）手袋に適合した印を有する、ゴルファーにゴルフクラブを適合させる方法を提供する。
【００４４】
更に別の局面において、本発明は、クラブのグリップにおける印を含み、種々の外径を備えたある範囲のゴルフクラブのグリップと、適当なサイズのグリップの印と適合するマークを備えた対応する範囲の種々サイズのゴルフ用手袋とからなり、使用時前記印はゴルファーが自分の手のサイズに合ったゴルフクラブのグリップを選択するのを手助けする適合（フィッテイング）システムから構成される。
【００４５】
更に別の局面において、本発明は、あるセットのゴルフクラブのグリップとゴルフ手袋を含むパッケージされたセットであって、前記のゴルフ手袋は前述したようなものであり、かつ前記ゴルフクラブのグリップも前述したようなものであり、前記のゴルフクラブのグリップのマークが前記ゴルフ手袋のサイズと適合するように位置されているパッケージされたセットから構成される。
【００４６】
更に別の局面において、本発明はまた、特許請求の範囲の従属項のいずれかに記載の、ゴルフ手袋と、ゴルフクラブのグリップと、ゴルフ手袋とゴルフクラブのグリップとを含むシステムと、適合システムと、および（または）パッケージされたセットから構成されるものと言える。
【００４７】
本発明のその他の局面は例示のみとして、かつ添付図面を参照して提供されている以下の説明から明らかとなりうる。
【００４８】
本明細書において使用されている、「および（または）（ａｎｄ／ｏｒ）」という用語は「および（ａｎｄ）」あるいは「または（ｏｒ）」あるいはそれらの双方を意味するものである。
【００４９】
本明細書において使用されている、名詞の後に続く「（ｓ）」は当該名詞の複数および（または）単数の形態を意味する。
【００５０】
本明細書および特許請求の範囲において使用されている「含む（ｃｏｍｐｒｉｓｉｎｇ）］という用語は「少なくとも部分的に・・・から構成されている（ｃｏｎｓｉｓｔｉｎｇ  ａｔ  ｌｅａｓｔ  ｉｎ  ｐａｒｔ  ｏｆ）」ことを意味する。前記の用語を含む本明細書や特許請求の範囲における記述を解釈する場合、各記述において前記の用語によって始められる特徴は全て存在する必要があるが、その他の特徴も存在してもよい。「含む（ｃｏｍｐｒｉｓｅ）」や「含まれている（ｃｏｍｐｒｉｓｅｄ）」のような関連の用語は同様に解釈されるべきである。
【００５１】
本明細書において開示されているある範囲の数（例えば、１から１０まで）を言及する場合はまた、その範囲内の全ての有理数（例えば、１，１．１，２，３，３．９，４，５，６，６．５，７，８，９および１０）、およびまた前記の範囲内のいずれの範囲の有理数（例えば、２から８まで、１．５から５．５までおよび３．１から４．７まで）の言及も含む意図である。
【００５２】
特許公報、その他の外部文書あるいはその他の情報源を参照している本明細書において、このことは一般に本発明の特徴を論じるための環境を提供する目的のものである。特記しない限り、そのような外部文書を引用することはそのような文書あるいはそのような情報源がいずれの法的環境においても従来技術であるとか、あるいは当該技術分野における共通の一般的な知識の一部を形成するものであると認めたものであると解釈すべきでない。
【００５３】
添付図面を参照して本発明を詳細に説明する。
【発明を実施するための最良の形態】
【００５４】
本明細書において使用されている単数および複数双方の用語、「ｉｎｄｉｃｉｕｍ」や「ｍａｒｋｉｎｇ」はグリップや手袋にそれぞれ設けられている可視的な基準を指し、特定の線、点あるいは領域を識別するために各種の色、手触り、形状および材質を使用して形成することができる。
【００５５】
本明細書において使用される「直線的（ｒｅｃｔｉｌｉｎｅａｒ）」という用語は概ね直線の線で延在することを意味する。特に、この用語は手袋の手のひら側に対して概ね垂直の角度から見た場合、手袋の手のひら側における指の付け根を横切って延在する少なくとも２本の線部分が目で見て整合している場合を指す。
【００５６】
図面および以下の説明は右利きのゴルフプレヤー用の手袋を言及する。右利きのプレヤーとは該プレヤーの左側に向ってボールを打つように立つプレヤーを意味する。本発明の範囲はまた、ボールの右側に向って打つように立つ左利きのプレヤーが使用するようにされたゴルフクラブのグリップや手袋も包含する。左利きのグリップや手袋は右利きのプレヤーに関して説明したグリップや手袋とは対称的となる。
【００５７】
図１ａは本発明によるゴルフクラブのグリップの上面図である。第一の印１１６は親指の基準（ｒｅｆｅｒｅｎｃｅ）を提供する。この親指の基準はそれにゴルファーの親指が接触することを意図されている。この親指の基準は使用者の親指の跡（ｐｒｉｎｔ）に対して適合するような形状とされ、典型的には楕円形である。親指の基準はゴルフクラブの中心線より約３．３ミリ（０．１３ｉｎｃｈｅｓ）の距離１２１だけずれることが望ましい。
【００５８】
図１ｃは親指の基準を更に詳細に示す。この親指の基準は典型的には長さが約２８．４５ミリメートル（１．１２ｉｎｃｈｅｓ）で、幅が約１９．０５ミリメートル（０．７５ｉｎｃｈｅｓ）である。
【００５９】
親指の基準は実線あるいは点線の外形でもよく、あるいは色で塗りつぶした斑点（ｓｏｌｉｄ  ｐａｔｃｈ  ｏｆ  ｃｏｌｏｕｒ）でもよい。前記基準は手触りをつける（ｔｅｘｔｕｒｅｄ）か、あるいは溝付きとしてもよい。好ましい基準は楕円形の斑点あるいは楕円形の領域を画成したものである。しかしながら、代替的な基準は、例えば極端な上側および下側および側方の位置としての拇指隆起の接触部を画成するに必要な限界のみを指示するものでよい。どのようなマークが使用されるとしても、拇指隆起のための基準は拇指隆起が接触するための接触領域を画成する必要がある。
【００６０】
第二の印１１４は好適な対応の手袋の手のひらにあるマークと合わすようにされた線基準（ｌｉｎｅ  ｒｅｆｅｒｅｎｃｅ）である。この好適な線基準はゴルフクラブのグリップの中心線に対して平行に延在する。前記の線基準はクラブの中心線１１２から約４０度から７０度の間の角度１２９だけずれている。男性用のゴルフクラブのグリップに対しては、前記の線基準はクラブの中心線から約５０度ずれており、女性用のグリップに対してはクラブの中心線から約４０度ずれることがより好ましい。
【００６１】
前記の線基準は実線あるいは点線でもよく、例えば０．５ミリメートルから４ミリメートルまでの細い線、あるいは広幅の線でもよい。前記線基準は手触りをつけるとか、あるいは溝付きとしてもよい。前記の線は１ミリメートルの幅の着色した溝にすることが好ましい。
【００６２】
第三の印１１８は、使用時クラブを握った場合ゴルファーの下側の手（ｌｏｗｅｒ  ｈａｎｄ）の人差し指と親指との間でつくられるかぎ形と合わすような形状とされている。第三の印１１８の形状は図１ａにおいては、「Ｖ」字形として示されているが、例えば一本の線あるいは点、あるいは着色した領域のようなその他の形状も使用しうることが認められる。「Ｖ」字形、すなわち先端の尖った部分においては、尖った部分の挟角は約５０度であることが好ましく、尖端点の方向はグリップの中心線から約５度離れている。角度１２３は約６０度であり、角度１２５は約５０度であることが好ましい。前記尖端点は親指の跡マーク１１６の中心線上に位置することが好ましい。この場合、尖端点はグリップの中心線からのずれ１２１と同じだけずれている。
【００６３】
第三の基準は実線、点線あるいは色を塗りつぶした斑点（ｐａｔｃｈ）でもよい。前記基準は手触りをつけるか、あるいは溝をつければよい。好適な基準は約１ミリメートルの幅の着色した溝によって画成される「Ｖ」字形の尖端点である。
【００６４】
第三の印１１８の長さ１２６、第一と第三の印の間の距離１２８および第二の印１１４の長さ１２０は全てゴルファーの手のサイズによって変わる。グリップの長さもまた、就中ゴルフクラブのタイプによっても変わりうる。図１ｂは本発明によるゴルフクラブのグリップの端面図である。クラブのグリップ１１２の中心線と第二の印１１４との間には約４０度から約７０度までの間で、好ましくは男性用グリップに対しては約５０度の、そして女性用グリップに対しては約４０度の角度がつけられている。グリップの直径１１０はゴルファーの通常の手のサイズによって変わる。直径１１０は、例えば図１ａにおけるＡの位置に対してはグリップの頂点から２５．４ミリメートル（１ｉｎｃｈ）のところで測る。これは標準的なゴルフクラブのグリップの測定法に従うものである。グリップは標準的なテーパ外形を有することが好ましい。標準的なグリップのサイズおよび外形の一例はラルフ  モルトビー（Ｒａｌｐｈ  Ｍａｌｔｂｙ）による「ゴルフクラブの修理」（“Ｇｏｌｆ  Ｃｌｕｂ  Ｒｅｐａｉｒ”）という名称の教本に提供されている。
【００６５】
ゴルフクラブのグリップをゴルフクラブのシャフトに適合（フィット）させるための既知の技術を用いてグリップをクラブに正しく適合させることを手助けするために別のマーク（図示せず）がグリップに設けられる。握りを手助けする印を有するその他のクラブのグリップと同様に、本発明によるクラブのグリップは、クラブのシャフトやクラブヘッドに対して印１１４，１１６および１１８を確実に正確に位置決めするように正確に合わせる必要がある。典型的なマークとしては中心線１１２上でグリップの下端における小さい点あるいは線の形態のマークを含む。適合作業をする人はクラブヘッドを部分的に適合（フィッテイング）装置に位置させてこれらのマークをクラブシャフトの中心線のマークと整合させる。本発明に対しては、グリップにおける何らかの捩じれが修正できるように中心線に沿って２個以上のマークが離隔して位置することが好ましい。
【００６６】
図２ａ，２ｂ，２ｃおよび２ｄは本発明による男性用ゴルフ手袋２０８、および女性用ゴルフ手袋２０９を示す。以下の説明は図２ａおよび図２ｃに示すように男性用ゴルフ手袋に関するものである。
【００６７】
第一のマーク２１０は手袋の親指に設けられる。マーク２１０はクラブのグリップの第一の印１１６と合わされる。前記マークは楕円形の斑点で、使用者の親指の跡に対応するものであることが好ましい。前記マークは手袋の手のひら側にあることが好ましい。
【００６８】
本発明の一局面は使用者が正しい手の位置と形をとった場合にゴルフクラブのグリップのマークと適合するようにされたマークを手袋の手のひら側に設けることである。マークを手のひら側に設けることによって使用者に手袋のマークとグリップの印との間で面接触となるように強いる。面接触は手袋の裏側にマークがある典型的な従来技術による手袋よりも難しいように見える。ある場合には、追って説明するように、手の位置をチェックするために使用者のセットアップ（ｓｅｔｕｐ）を崩す必要がある。しかしながら、面接触は正確であり、かつ視角および両眼による視覚によって生じる視差あるいはその他の視覚上の歪によって影響されない。更に、例えば図５ａから図５ｇまでに示す一連の写真を参照して説明するようにセットアップの手順を改変することにより面接触の視覚によるチェックを具体化することができる。
【００６９】
第二のマークは指のつけ根を横切って設けられ、帯２１２および（または）線２１１から構成することができる。図２に示す手袋においては、帯２１２および線２１１の双方が設けられている。第二のマーク２１２は平たくした手袋の指の軸線に対して直交する仮想線から２０度から４５度の間の角度２１８をつけて設けられている。
【００７０】
図２ａに示す手袋において、線２１１は連続しており、人差し指の下方部分近傍の位置から小指のつけ根の下方の位置まで直線で横断している。ゴルフクラブのグリップの中心線に対して概ね平行に延在するグリップの線と適合するためには、線２１１は平たくした手袋の軸線に対して直交する線に対して約３２度の角度２１８をつけて延在している。この角度は色々異なるゴルファーの手の握りに対して、あるいは好みによって異なりうる。例えば、あるプレヤーは、一般に指により多くかけて握るよりもコントロールがしにくいと考えられているものの、手のひらをより横切ってクラブを持つことを選択する。  
【００７１】
線２１１は指のつけ根に近く、かつ（帯が存在する場合）帯２１２の下縁部近くに位置することが好ましい。この位置はグリップの基準線１１４のずれ１２１によって左右される。少なくとも前記線の人差し指部分は手を開いた場合目で見えるようになり、前記線２１１とゴルフクラブのグリップの対応するマークとの正しい面接触をチェックすることができる。小指のつけ根の近傍で終わる前記線２１１の他端とゴルフクラブのグリップのそれぞれマークとの適正な接触合わせはグリップを閉じた状態で手の外側を上から見ることによってチェックすることができる。
【００７２】
代替実施例が図２ｃに示されている。本実施例においては、線２１１は上側の線部分２１１ａと下側の線部分２１１ｂとを含んでいる。使用時、ゴルファーがゴルフクラブのグリップの周りで手を締めると、上側と下側の線部分が合わされて直線の印を形成する。このことによってクラブのグリップの対応する印１１４、あるいはクラブの中心線と線２１１が正確に合い易くする。
【００７３】
上側の線部分２１１ａは平たくした手袋の指の軸線に対して直交して延在する仮想線に対して下側の線部分２１１ｂよりも約１０度少ない角度を有することが好ましい。図２ｃおよび図２ｄにおいて、上側の線部分は約２９度の角度を有しており、下側の線部分は約３９度の角度を有している。上側の線２１１ａは１５から３５度の間の角度、下側の線は２０から４５度の間の角度を有しうる。
【００７４】
線２１１は代替的に、使用時ゴルファーがゴルフクラブのグリップの周りで手を閉じると、上側および下側の線部分が合わされて概ね直線の印を形成するようにずらされた概ね平行の上側および下側の線部分から構成してもよい。
【００７５】
いずれの場合も、前記の線部分は手が閉じられたとき実際には合流しないように短く、あるいは著しく重なるように長くしうる。実際に、前記線の端部分あるいは対の線の外端部分は、ゴルフクラブのグリップの線のマークに対してチェックする上で最も重要である。従って、親指に最も近い基準線は人差し指の幅の少なくとも半分だけ人差し指の外縁部から延在すべきである。親指から最も離れた方の基準線は小指の少なくとも中心線を含み、少なくとも１センチメートル延在すべきである。
【００７６】
図６はその手袋の唯一の基準印が手袋の手のひら側における指のつけ根を横切って延在する基準線である手袋７０９を示す。前記線は上側の線部分７１１ａと下側の線部分７１１ｂを含む。上側の線部分７１１ａは２９度の角度７１８を有し、下側の線部分７１１ｂは約３９度の角度７１９を有している。
【００７７】
別の実施例（図示せず）においては、線部分７１１ａおよび７１１ｂは繋ぎ線（ｂｒｉｄｇｉｎｇ  ｌｉｎｅ）によって接合しうる。
【００７８】
代替的に、線部分は、手袋が閉じた状態まで動かされると、平行の線部分が合わされて一本の直線を形成するようにずらされ、かつ平行としうる。
【００７９】
再度図２ａから図２ｄまでを、そして線基準に対しては図６も参照して、基準線および（または）帯の効果について以下説明する。
【００８０】
使用時、正しい手の位置を確認するために帯２１２がゴルフクラブのグリップと合わされる。前記帯２１２の幅２１４はグリップの幅１１０と類似であることが好ましい。帯２１２の幅およびグリップの直径の双方は使用者の手のサイズによって変わりうる。
【００８１】
使用時、正しい手の位置を確認するために線２１１はクラブのグリップの、対応する基準の例えば線１１４と面接触して合わせられる。典型的には、帯２１２と線２１１の双方が存在する場合、線は帯の内側にある。線は帯内で中心からずれていることが好ましい。例えば、線は指のつけ根のより近くにあればよい。こうすることによって使用者がゴルフクラブのグリップを閉じる前に線をより見え易くする。これによってクラブのグリップと手袋のマークを相互に適合させる精度を向上させる。本発明の好適実施例のグリップの線１１４に対して、典型的には手袋の線は帯の下縁部から約４ミリメートル（０．１５７ｉｎｃｈｅｓ）である距離２１６を離隔される。
【００８２】
しかしながら、ゴルフクラブのグリップの基準線はグリップの周りで、かつそれに沿って曲がることが可能で、その場合、手袋の基準線（あるいは複数の線）は全く異なる角度で延在し、帯の内部に完全に入らないかもしれない。グリップの基準線はまた、手のひらの外方限界と適合する位置において分離した線部分とすることができる。しかしながら、最も好ましいゴルフクラブのグリップはグリップの中心に対して平行に延在する連続した線を有する。このことによって、（シャフトにより近接した）クラブのグリップの下方部を握ることによってスイングスピードを減じる使用者には手助けとなる。使用者は対応する手袋の線と合わせるために線２１１を今まで通り使用してもよい。
【００８３】
図３と図４とは本発明の一例によるある範囲の色コードを付した手袋とゴルフクラブのグリップを示す。各手袋とグリップのサイズはゴルファーの手のサイズに適合した手袋とグリップをゴルファーが選択するのを手助けするために独特の色を有している。以下の表１は図３および図４に示す手袋とグリップサイズに適用される照合数字を示している。
【表１】
2009534089.tif 000003
【００８４】
以下の表２は使用者の手のサイズによって、好適なゴルフクラブのグリップおよび手袋の印やマークが変わる態様を示すデータを包含している。提供されたデータは図１ｂ，図２ａ，および図２ｂに記載され、かつ前述した寸法を参照している。
【表２】
2009534089.tif 000004
【００８５】
図５ａから図５ｇまでは右利きのゴルファーが正しい手の位置を習得するのを手助けするために本発明によるゴルフ手袋とグリップとが使用されている態様を示す。左利きのゴルファーは手袋とグリップを対称にして、左利きと右利きのゴルファーに対する指導を逆にして同じステップを辿ればよい。
【００８６】
図５ａにおいて、ゴルファーは本発明によるグリップを有するゴルフクラブのヘッドを地面に位置させる。クラブのフェースはゴルフボールの目標領域に向って向けられている。この方向において、グリップの印は上を向き、ゴルファーから離されている。ゴルファーはグリップのこの部分を上から見下ろす。
【００８７】
図５ｂにおいて、ゴルファーは手袋の第一のマーク（「拇指隆起」）をグリップの第一の印（「拇指隆起の基準部分」）の上に位置させる。
【００８８】
次いで、図５ｃに示すように、ゴルファーは指をグリップの周りで閉じる。図５ｄはゴルファーの左手が今やゴルフクラブに正しく位置されていることを示す。左手の親指と人差し指との間につくられる線が右肩を指している。
【００８９】
図５ｅは、どのように手袋の第二のマーク（「手のひらの線」）とグリップの第二の印（「線基準」）を使用して手が正しく位置されているかチェックする態様を示す。ゴルファーは左手を開いて手のひらの線と線基準とが合わされているか否かチェックする。前述のように、手のひらのマークは広い帯と細い線とを含んでもよい。広い帯はグリップの幅と合い、ゴルファーが左手を開く必要の程度を最小にしながら、合わされ具合のチェックを手助けする。このことによって、ゴルフクラブのグリップが手袋に対して動き、合わされた状態を乱す危険性を低下させる。細い線は手袋およびグリップの正確な合わせを示すが、正しい接触合わせをチェックするために使用者が手を広げて開くことが要求される。
【００９０】
図５ｆにおいて、人差し指に対して小さい隙間をおいてゴルフクラブのグリップが指のつけ根を横切って延在するように右手がグリップの上に置かれている。
【００９１】
その後、ゴルファーは右手を左手の上端に巻きつけ、図５ｇに示すように、ゴルフクラブのグリップの第三の印に右手の親指と人差し指を合わせる。ゴルファーの右手の親指の末端が左手の親指の上に座り、右手の人差し指と親指の間でつくられる線が左手の親指と人差し指の間につくられる線に対して平行となる。
【００９２】
本発明の別の局面によれば、手袋とグリップとの適合システムは前述した手袋とゴルフクラブのグリップを使用する。この適合システムは諸々の外径を有し、ゴルファーの手のサイズに適合して変動する形状とサイズの印を含む、ある範囲のゴルフクラブのグリップを示すディスプレイを含むことが好ましい。適当なサイズのグリップの群のそれぞれのマークに適合して変動する形状およびサイズの対応するマークを備えた対応する範囲の諸々のサイズのゴルフ手袋も提供される。
【００９３】
適合する手袋とグリップの組み合わせは共通のマークによって示されることが好ましい。例えば、手袋のサイズは特定の色で指示され、対応するグリップのサイズは同じ色で指示されるようにしうる。色は手袋とグリップの合わせ用の印の色でもよい。
【００９４】
使用時、ゴルファーは前記の範囲の手袋の中から自分の手のサイズに適合した適当な手袋を選択する。グリップあるいはそのようなグリップを備えたクラブは選択された手袋のサイズに適合するものが選択される。使用時、ゴルファーの手がクラブのグリップの回りで正しく位置されると、手袋とグリップのマークが合わされる。
【００９５】
本発明による手袋とグリップとは一緒に販売され、追加のあるいは交換用のグリップあるいは手袋は個別に販売されることが好ましい。例えば、グリップと手袋のセットはパッケージされたセットとして販売してもよい。典型的なパッケージされたセットには７本から１４本までのグリップおよび一枚以上の手袋が含められる。含まれた手袋と含まれたグリップは適合したサイズのものであり、（グリップのマークの位置は手袋のサイズから想定される手のサイズと適合し、手袋のいずれのマークとも適合する）。顧客は自分のゴルフ手袋のサイズに適合したセットを購入し、既に所有するゴルフクラブのセットを新しいグリップで巻きなおすよう手配する。
【００９６】
本発明によるゴルフクラブのグリップはまた、新しいセットのゴルフクラブにも適用可能である。この場合、パッケージされたセットには、ゴルフクラブのグリップはクラブのシャフトに既に適合されたものが含まれる。グリップはドライバおよびアイアンに対して使用しうるが、パターには通常使用されない。
【００９７】
ゴルフ手袋は、皮革、アクリル材料の織布、綿、羊毛、横等方性材料あるいはその他いずれかの適当な材料からつくればよい。手袋のマークは手袋にプリントするか、染めるか、あるいは手袋の地の材料の上にその他の方法で目立つようにすればよい。手袋のマークは手袋の地の材料の上に直接プリントするか、印をつけるか、あるいは別の布切れを手袋の上に縫い合わせればよい。
【００９８】
前述した詳しい例は多数の個々の独特の特徴を具現化する手袋とグリップとの組み合わせを提供する。これらの特徴の多くは独自で作用しうるが、一つ以上のその他の特徴との組み合わせで最良の利点を生み出すように最大限に作用する。例えば諸々の特徴は、
・  対応する印が使用時面接触によって合わされるようにクラブのグリップと、対応する手袋の手のひら側のマークや、
・  ゴルファーの拇指隆起が接触する領域を画成するグリップ上の親指跡の形状のマークや、
・  緊密な接触によって手のひらを横切ってクラブを合わせるような、基準線上のグリップと手袋の基準マークや、
・  ゴルファーの手袋のみのサイズに基づいて正確なサイズとマークを備えたグリップを選択することを基準とした適合（フィッティング）システムと、
を含む。
【００９９】
これらの広義の概念の範囲内において、各概念の効果をもたらすような前述した実施局面が存在する。
【０１００】
前述した説明において、既知の同等物を有する要素あるいは完全体を参照してきたが、そのような同等物は個々に説明されたものとして含まれる。
【０１０１】
本発明およびその好適な形態を説明してきた。当該技術分野の専門家にはそれらの代替および修正は本発明の範囲内に包含される意図のものであることが明白である。例えば、ゴルフクラブのグリップは手袋がなくてもゴルファーの親指の指紋と直接合わせるように構成することができる。
【図面の簡単な説明】
【０１０２】
【図１ａ】本発明によるゴルフクラブのグリップの上面図である。
【図１ｂ】本発明によるグリップの端面図である。この端面図はグリップの上端から２５．４ミリ（１ｉｎｃｈ）のところにある位置を示す概略図である。
【図１ｃ】本発明によるグリップの第一の印の図面である。
【図２ａ】本発明の一実施例による男性用手袋の概略図である。
【図２ｂ】本発明の一実施例による女性用手袋の図面である。
【図２ｃ】本発明の別の実施例による男性用ゴルフ手袋の手のひら側の図面である。
【図２ｄ】本発明の別の実施例による女性用ゴルフ手袋の手のひら側の図面である。
【図３】本発明による数種の手袋の手のひら側の図面である。
【図４】本発明による数種のゴルフクラブのグリップの図面である。
【図５ａ】ゴルファーが正しい手の位置決めを習得するように手助けするために本発明による手袋とグリップが使用されていることを示す。
【図５ｂ】ゴルファーが正しい手の位置決めを習得するように手助けするために本発明による手袋とグリップが使用されていることを示す。
【図５ｃ】ゴルファーが正しい手の位置決めを習得するように手助けするために本発明による手袋とグリップが使用されていることを示す。
【図５ｄ】ゴルファーが正しい手の位置決めを習得するように手助けするために本発明による手袋とグリップが使用されていることを示す。
【図５ｅ】ゴルファーが正しい手の位置決めを習得するように手助けするために本発明による手袋とグリップが使用されていることを示す。
【図５ｆ】ゴルファーが正しい手の位置決めを習得するように手助けするために本発明による手袋とグリップが使用されていることを示す。
【図５ｇ】ゴルファーが正しい手の位置決めを習得するように手助けするために本発明による手袋とグリップが使用されていることを示す。
【図６】本発明による分割された基準線を有するゴルフ手袋を示す。
【図１ａ】
2009534089.tif 000013
【図１ｂ】
2009534089.tif 000014
【図１ｃ】
2009534089.tif 000015
【図２ａ】
2009534089.tif 000016
【図２ｂ】
2009534089.tif 000017
【図２ｃ】
2009534089.tif 000018
【図２ｄ】
2009534089.tif 000019
【図３】
2009534089.tif 000020
【図４】
2009534089.tif 000021
【図５ａ】
2009534089.tif 000022
【図５ｂ】
2009534089.tif 000023
【図５ｃ】
2009534089.tif 000024
【図５ｄ】
2009534089.tif 000025
【図５ｅ】
2009534089.tif 000026
【図５ｆ】
2009534089.tif 000027
【図５ｇ】
2009534089.tif 000028
【図６】
2009534089.tif 000029
【国際調査報告】
2009534089.tif 000030
2009534089.tif 000031
2009534089.tif 000032